(57)【要約】【課題】レンズバリヤ装置の小型化、小径化を図りつつ、開き動作及び閉じ動作のクリック感が得られるようにする。【解決手段】レンズの光軸方向に略垂直な面内で移動自在な複数の羽根からなるレンズバリヤ３０、ベース１０に対して回動自在に支持されレンズバリヤ３０を手動にて開閉させるように駆動する連動リング２０を備え、レンズバリヤ３０を開き位置又は閉じ位置に保持するクリック機構として、ベース１０に固定され自由端部に突起５２ａを有し光軸方向Ｌに撓む板バネ５０、連動リング２０の背面に形成され開き位置及び閉じ位置において突起５２ａを受け入れる２つの窪み２１ｅ，２１ｆを採用した。これにより、装置を小型化、小径化できると共に、明確なクリック感が得られる。【選択図】図４
2005084279.tif 000002
【特許請求の範囲】
【請求項１】
平板状に形成されレンズの光軸方向に略垂直な面内で移動自在なレンズバリヤと、レンズバリヤを手動にて開閉させるように駆動する駆動機構と、レンズバリヤを開き位置又は閉じ位置に保持するクリック機構と、を備えたレンズバリヤ装置であって、
前記クリック機構は、光軸方向においてお互いに嵌合し得る凸部及び凹部と、前記凸部及び凹部をお互いに密着させるように光軸方向に付勢する付勢部材と、
を有する、ことを特徴とするレンズバリヤ装置。
【請求項２】
前記レンズバリヤは、お互いに重なり合うように環状に配列された複数の羽根を含み、
前記駆動機構は、所定の開口部を有するベースに対して回動自在に支持されかつ前記開口部を開閉するべく前記複数の羽根を虹彩状に連動させる連動リング、を含む、
ことを特徴とする請求項１記載のレンズバリヤ装置。
【請求項３】
前記連動リングは、所定の開口部を有する円板部と、前記円板部の外周から光軸方向前方に伸びる円筒部と、を含み、
前記ベースは、前記円板部の背面側に配置され、
前記レンズバリヤは、前記円板部の前面側に配置されている、
ことを特徴とする請求項２記載のレンズバリヤ装置。
【請求項４】
前記ベース及び連動リングの一方には、光軸方向に弾性変形して付勢力を及ぼすと共に前記凸部を有する前記付勢部材が設けられ、
前記ベース及び連動リングの他方には、開き位置及び閉じ位置に対応する角度位置において二つの前記凹部が設けられている、
ことを特徴とする請求項２又は３に記載のレンズバリヤ装置。
【請求項５】
前記付勢部材は、光軸方向に略垂直な径方向に伸長するように形成され、かつ、その自由端部に前記凸部をもつ片持ち梁状の板バネからなる、
ことを特徴とする請求項１ないし４いずれかに記載のレンズバリヤ装置。
【請求項６】
前記板バネは、光軸方向に垂直な径方向に伸長し、かつ、径方向外側に前記自由端部及び凸部をもつように形成されている、
ことを特徴とする請求項５記載のレンズバリヤ装置。
【請求項７】
前記凸部は、略半球状に形成された突起であり、
前記凹部は、略半球状に形成された窪みである、
ことを特徴とする請求項１ないし６いずれかに記載のレンズバリヤ装置。
【請求項８】
前記凸部及び凹部は、前記レンズバリヤが開き位置又は閉じ位置に位置決めされるとき、それぞれの位置から過移動させる向きに前記レンズバリヤを押し付けるべく、お互いの中心が所定量だけ偏倚して位置するように形成されている、
ことを特徴とする請求項１ないし７いずれかに記載のレンズバリヤ装置。
【発明の詳細な説明】
【技術分野】
【０００１】
本発明は、スチルカメラ、ビデオカメラ、デジタルカメラ、携帯情報端末機等に搭載のモバイルカメラ等におけるレンズの前方に配置されて光路を開閉し得るレンズバリヤ装置に関し、特に、その開閉動作を手動にて行なうレンズバリヤ装置に関する。
【背景技術】
【０００２】
従来のレンズバリヤ装置としては、略矩形の輪郭をなす平板状のレンズバリヤ、レンズバリヤを光軸に垂直な一方向に往復動させて光路を開閉させる揺動レバー、レンズバリヤと平行な面内でかつレンズバリヤの移動方向に垂直な方向に揺動レバーを付勢する板バネ、レンズカバーの側面に往復動自在に設けられた開閉用の操作スイッチ等を備え、手動により操作スイッチを一方向に移動させることにより、レンズバリヤを開き位置から閉じ位置に移動させると共に移動ストロークの略中間で板バネの付勢力が開き位置から閉じ位置に向けて反転して作用し、又、操作スイッチを逆方向に移動させることにより、レンズバリヤを閉じ位置から開き位置に移動させると共に移動ストロークの略中間で板バネの付勢力が閉じ位置から開き位置に向けて反転して作用するように形成されたものが知られている（例えば、特許文献１参照）。
【０００３】
また、他のレンズバリヤ装置としては、レンズ鏡筒をもつカメラにおいて、カメラ本体の前面において左右方向に摺動自在に取り付けられた略矩形状のレンズバリヤ、カメラ本体においてレンズバリヤが摺動する面から突出するようにバネにより付勢されたクリック用ボール、レンズバリヤが開き位置と閉じ位置にあるときに、クリック用ボールが入り込むようにレンズバリヤの内側面に形成された二つの凹部等を備え、手動によりレンズバリヤを閉じ位置から開き位置に移動させることにより、一方の凹部にクリック用ボールが入り込んで、レンズバリヤを開き位置に位置決めし、又、レンズバリヤを開き位置から閉じ位置に移動させることにより、他方の凹部にクリック用ボールが入り込んで、レンズバリヤを閉じ位置に位置決めするように形成されたものが知られている（例えば、特許文献２参照）。
【０００４】
【特許文献１】特開平１１−２３７６５８号公報
【特許文献２】特開２００２−７２３２６号公報
【発明の開示】
【発明が解決しようとする課題】
【０００５】
ところで、上記のように、板バネ、揺動レバー等を備えた従来のレンズバリヤ装置においては、揺動レバーが移動ストロークの中間位置を越えた時点で、レンズバリヤを開き位置から閉じ位置へ、又は、閉じ位置から開き位置へ付勢するように、板バネによる揺動レバーの付勢方向が切り換わる（反転する）ようになっている。
すなわち、レンズバリヤを開き位置又は閉じ位置に保持する保持力は、板バネの付勢力だけに依存しており、板バネの経時的変化により付勢力が低下すると、レンズバリヤが安定して保持され難くなり、又、板バネの付勢力だけでは、レンズバリヤを開き位置又は閉じ位置に移動させる際の手動操作の感触（クリック感）が得られ難い。
また、板バネは、光軸方向に伸長するように形成され、レンズバリヤと略平行な方向に弾性変形して付勢力を及ぼすように形成されているため、光軸方向及び光軸に垂直な方向において板バネを収容するスペースが必要になり、装置の大型化、大径化を招くことになる。
【０００６】
また、カメラ本体に設けられたクリック用ボール、レンズバリヤの内側面に形成されクリック用ボールが入り込む二つの凹部を備えた従来のレンズバリヤ装置においては、クリック用ボール及びバネはカメラ本体に配置されるため、カメラごとに専用の配置構造が必要になり、又、クリック用ボールがレンズバリヤの凹部に入り込む方向が、光軸に垂直な方向あるいはレンズの径方向であるため、前述同様に装置の大型化、大径化を招くことになる。
さらに、上記従来のレンズバリヤ装置は、平板状のレンズバリヤを直線的に往復動させて、レンズの前面を開閉するものであるため、レンズバリヤが往復動する方向において装置の大型化、さらにはこのレンズバリヤ装置を搭載するカメラ等の大型化を招くことになる。
【０００７】
本発明は、上記の事情に鑑みて成されたものであり、その目的とするところは、装置の小型化、小径化等を図りつつ、簡略な構造にて、レンズバリヤを閉じ位置又は開き位置に位置付ける際の感触（クリック感）が明確に得られ、又、レンズバリヤを閉じ位置又は開き位置に確実に保持できるレンズバリヤ装置を提供することにある。
【課題を解決するための手段】
【０００８】
本発明のレンズバリヤ装置は、平板状に形成されレンズの光軸方向に略垂直な面内で移動自在なレンズバリヤと、レンズバリヤを手動にて開閉させるように駆動する駆動機構と、レンズバリヤを開き位置又は閉じ位置に保持するクリック機構と、を備えたレンズバリヤ装置であって、上記クリック機構は、光軸方向においてお互いに嵌合し得る凸部及び凹部と、凸部及び凹部をお互いに密着させるように光軸方向に付勢する付勢部材とを有する、ことを特徴としている。
この構成によれば、手動にて駆動機構が駆動されると、レンズバリヤがレンズを覆う閉じ位置又はレンズを露出させる開き位置に移動し、クリック機構により、レンズバリヤが閉じ位置又は開き位置に確実に保持されると共に、レンズバリヤを閉じ位置又は開き位置に位置付ける際の感触（クリック感）が明確に得られる。また、クリック機構が、光軸方向においてお互いに嵌合する凸部及び凹部、光軸方向に付勢力を及ぼす付勢部材により形成されているため、光軸方向に垂直な方向において装置を小型化、小径化することができる。
【０００９】
上記構成において、レンズバリヤは、お互いに重なり合うように環状に配列された複数の羽根を含み、駆動機構は、所定の開口部を有するベースに対して回動自在に支持されかつ開口部を開閉するべく複数の羽根を虹彩状に連動させる連動リングを含む、構成を採用することができる。
この構成によれば、ベースに対して連動リングを回動させると、複数のバネが虹彩状に移動して開口部を全開する開き位置又は全閉する閉じ位置に移動する。このように、レンズバリヤが一枚の平板ではなく環状に配列された複数の羽根により形成され、駆動機構が連動リングを含むため、構成部品が光軸に向けて集約化され、装置をより小型化及び小径化することができる。
【００１０】
上記構成において、連動リングは、所定の開口部を有する円板部と、円板部の外周から光軸方向前方に伸びる円筒部とを含み、ベースは、円板部の背面側に配置され、レンズバリヤは、円板部の前面側に配置されている、構成を採用することができる。
この構成によれば、ベースに対して連動リングを回動させると、連動リングの前方に配置されたレンズバリヤが開き位置又は閉じ位置に移動する。また、連動リング（の円板部と円筒部）によりレンズバリヤを収容する空間が画定されるため、円筒部を手動操作の際の把持部として利用することで操作性が向上すると共に、光軸方向において装置を薄型化することができる。
【００１１】
上記構成において、ベース及び連動リングの一方には、光軸方向に弾性変形して付勢力を及ぼすと共に凸部を有する付勢部材が設けられ、ベース及び連動リングの他方には、開き位置及び閉じ位置に対応する角度位置において二つの凹部が設けられている、構成を採用することができる。
この構成によれば、レンズバリヤに対してクリック機構の一部（例えば、凹部）を設けるのではなく、レンズバリヤを駆動する駆動機構にクリック機構を設けるため、レンズバリヤには無理な力が加わらない。したがって、レンズバリヤとして薄板材を用いることができ、光軸方向における装置の薄型化を図りつつ、レンズバリヤを開き位置又は閉じ位置に確実に位置決めすることができると同時に、それらの位置に位置決めする際に明確なクリック感を得ることができる。
【００１２】
上記構成において、付勢部材は、光軸方向に略垂直な径方向に伸長するように形成され、かつ、その自由端部に凸部をもつ片持ち梁状の板バネからなる、構成を採用することができる。
この構成によれば、付勢部材が、片持ち梁状の板バネであるため、光軸方向に伸縮するコイル状のバネ等を採用する場合に比べて、光軸方向において装置を薄型化することができる。
【００１３】
上記構成において、板バネは、光軸方向に垂直な径方向に伸長し、かつ、径方向外側に自由端部及び凸部をもつように形成されている、構成を採用することができる。
この構成によれば、径方向の外側に板バネの自由端部及び凸部をもつため、光軸から凸部までの距離が長くなり、その結果、凸部が凹部に嵌合する開き位置と閉じ位置との周方向の離隔距離を長することができるため、それぞれの位置においてより明確なクリック感を得ることができる。
【００１４】
上記構成において、凸部は、略半球状に形成された突起であり、凹部は、略半球状に形成された窪みである、構成を採用することができる。
この構成によれば、凸部及び凹部が、お互いに嵌合する略半球状の突起及び窪みであるため、製造容易な簡略な形状にて、確実なクリック感を得ることができる。
【００１５】
上記構成において、凸部及び凹部は、レンズバリヤが開き位置又は閉じ位置に位置決めされるとき、それぞれの位置から過移動させる向きにレンズバリヤを押し付けるべく、お互いの中心が所定量だけ偏倚して位置するように形成されている、構成を採用することができる。
この構成によれば、レンズバリヤが開き位置又は閉じ位置にあるとき、クリック機構を形成する凸部の中心が凹部の中心から偏倚した位置にあるため、レンズバリヤは、開き位置にあるときさらに開く向きに押し付けられ、又、閉じ位置にあるときさらに閉じる向きに押し付けられる。これにより、レンズバリヤは、ガタツキを生じることなく、開き位置又は閉じ位置により確実に位置決めされて保持され得る。
【発明の効果】
【００１６】
上記のように、本発明のレンズバリヤ装置によれば、レンズバリヤ、レンズバリヤを手動にて開閉させるように駆動する駆動機構、レンズバリヤを開き位置又は閉じ位置に保持するクリック機構を備える構成において、クリック機構として、光軸方向においてお互いに嵌合し得る凸部及び凹部、凸部及び凹部をお互いに密着させるように光軸方向に付勢する付勢部材を採用したことにより、光軸方向に垂直な方向において装置を小型化、小径化することができ、又、レンズバリヤを閉じ位置又は開き位置に確実に位置決めすることができると共に、レンズバリヤを閉じ位置又は開き位置に位置付ける際に明確なクリック感を得ることができる。
また、レンズバリヤとして、環状に配列された複数の羽根を採用し、駆動機構として、所定の開口部を有するベースに対して回動自在に支持され複数の羽根を虹彩状に連動させる連動リングを採用することにより、構成部品を光軸に向けて集約化でき、装置をより小型化及び小径化することができる。
【発明を実施するための最良の形態】
【００１７】
以下、本発明の最良の実施形態について、添付図面を参照しつつ説明する。
図１ないし図１０は、本発明に係るレンズバリヤ装置の一実施形態を示すものであり、図１は装置の外観斜視図、図２は装置の外観正面図、図３は装置の外観側面図、図４は装置の分解斜視図、図５は装置の断面図、図６は装置の一部断面図、図７はクリック機構をなす板バネを示す図、図８はレンズバリヤが開き位置にある状態を示す正面図、図９はレンズバリヤが閉じ位置にある状態を示す正面図、図１０はレンズバリヤが開き位置及び閉じ位置にあるときの凸部と凹部の関係を示す正面図である。尚、この実施形態においては、レンズバリヤ装置が、デジタルカメラのレンズ鏡筒Ａの前方に取り付けられる場合を示す。
【００１８】
このレンズバリヤ装置は、図１ないし図４に示すように、外輪郭の一部を画定する円板状のベース１０、ベース１０に回動自在に支持される駆動機構としての連動リング２０、連動リング２０により駆動されるレンズバリヤ３０、レンズバリヤ３０を覆うようにベース１０に連結されて外輪郭の一部を画定するカバー４０、レンズバリヤ３０を開き位置及び閉じ位置に保持するクリック機構の一部をなす付勢部材としての板バネ５０、連動リング２０の角度位置（すなわち、レンズバリヤ３０の位置）を検出する検出センサ６０等により形成されている。
【００１９】
ベース１０は、図１ないし図６に示すように、略円板状に形成されており、中央において所定の口径をなす円形の開口部１１、外周縁において連動リング２０を回動自在に支持する環状支持部１２、板バネ５０を収容して固定する収容部１３、検出センサ６０を配置して固定するセンサ収容部１４、レンズバリヤ３０に連結される３つの連結ピン１５、カバー４０を連結するべく光軸方向Ｌの前方に突出する３つのボス部１６等を備えている。
【００２０】
連動リング２０は、図１ないし図６に示すように、略環状に形成されており、中央において所定の口径をなす円形の開口部２１ａを画定する円板部２１、円板部２１の外周から光軸方向Ｌの前方に向けて伸びる円筒部２２、円板部２１の前面に形成されレンズバリヤ３０を回動自在に支持する３つの支軸２１ｂ、円板部２１を貫通するように形成され連結ピン１５をそれぞれ通す円弧状の３つの長孔２１ｃ及びボス部１６をそれぞれ通す略矩形状の３つの貫通孔２１ｄ等を備えている。
【００２１】
また、円板部２１の背面には、図６、図８ないし図１０に示すように、クリック機構の一部をなす凹部としての略半球状の２つの窪み２１ｅ，２１ｆが形成されている。ここで、窪み２１ｅは、図８及び図１０（ａ）に示すように、レンズバリヤ３０の開き位置に対応し、窪み２１ｆは、図９及び図１０（ｂ）に示すように、レンズバリヤ３０の閉じ位置に対応している。さらに、円板部２１の背面には、光軸方向Ｌの後方に向けて突出する検出片２１ｇが形成されている。この検出片２１ｇは、検出センサ６０と協働して、連動リング２０の角度位置、すなわち、レンズバリヤ３０が開き位置又は閉じ位置のいずれかにあることを検出するようになっている。
上記構成をなす連動リング２０においては、図４及び図５に示すように、円板部２１の前面側にレンズバリヤ３０が移動自在に配置され、円板部２１の背面側に板バネ５０を保持したベース１０が配置されている。
【００２２】
レンズバリヤ３０は、図４、図８及び図９に示すように、複数（ここでは３枚）の羽根３１，３２，３３により形成されている。これらの羽根３１，３２，３３は、厚さ０．１ｍｍ程度の金属板により全て同一の形状に形成されており、それぞれ支軸２１ｂが通される円孔３１ａ，３２ａ，３３ａ、連結ピン１５が遊走するように通される円弧状の長孔３１ｂ，３２ｂ，３３ｂを有する。
上記３枚の羽根３１，３２，３３が、連動リング２０の支軸２１ｂ及びベース１０の連結ピン１５にそれぞれ組み付けられた状態において、連動リング２０がベース１０に対して時計回りに回転させられると、図８に示すように、連結ピン１５が長孔２１ｃに沿って支軸２１ｂから遠ざかる向きに相対的に移動し、３枚の羽根３１，３２，３３は、径方向外側に向けて展開し開口部１１開いた開き位置に至る。一方、連動リング２０がベース１０に対して反時計回りに回転させられると、図９に示すように、連結ピン１５が長孔２１ｃに沿って支軸２１ｂに近づく向きに相対的に移動し、３枚の羽根３１，３２，３３は、径方向内側に向けて重なり合い開口部１１を閉じた閉じ位置に至る。
すなわち、ベース１０に対して回動自在に支持された連動リング２０により、レンズバリヤ３０（羽根３１，３２，３３）を手動にて開閉させるように駆動する駆動機構が構成されている。
【００２３】
上記のように、レンズバリヤ３０は、一枚の平板ではなく環状に配列された複数の羽根３１，３２，３３により形成され、又、連動リング２０の円板部２１と円筒部２２とによりレンズバリヤ３０を収容する空間が画定されているため、円筒部２２を手動操作の際の把持部として利用することで操作性が向上すると共に、光軸方向Ｌにおいて装置を薄型化することができる。
【００２４】
カバー４０は、図１、図２、図４ないし図６に示すように、略円形の鍔状に形成されており、中央において所定の口径をなす円形の開口部４１、外周領域において連動リング２０の円筒部２２の内側に挿入される環状部４２等を備えている。そして、ベース１０の前面側に連動リング２０、続いてレンズバリヤ３０（３枚の羽根３１，３２，３３）が配置され、その前方からレンズバリヤ３０を覆うようにしてカバー４０が組み込まれ、環状部４２の背面がボス部１６に接合されてボルト１７等により締結されるようになっている。
【００２５】
付勢部材としての板バネ５０は、図４ないし図７に示すように、略Ｔ字状をなす片持ち梁状に形成されており、ネジ孔５１ａ及び位置決め孔５１ｂを有する基部５１、基部５１から片持ち梁状に伸長するバネ部５２、バネ部５２の自由端部に形成された略半球状の凸部としての突起５２ａ等を備えている。
そして、板バネ５０は、基部５１がベース１０の収容部１３に配置されてボルト５３により締結され、そのバネ部５２が光軸方向Ｌに弾性変形して、その自由端部にある突起５２ａを連動リング２０の背面に向けて押し付けるように付勢力を及ぼす。
また、この状態において、板バネ５０のバネ部５２は、図４及び図６に示すように、光軸方向Ｌに垂直な径方向に伸長し、かつ、径方向の外側に自由端部及び突起（凸部）５２ａが位置するように形成されている。
【００２６】
このように、クリック機構の一部を構成する付勢部材として、光軸方向Ｌにおいて弾性変形する片持ち梁状の板バネ５０を採用するため、光軸方向Ｌに伸縮するコイル状のバネ等を採用する場合に比べ、弾性変形に要する空間を狭くでき、それ故に光軸方向Ｌにおいて装置を薄型化することができる。
また、板バネ５０は、光軸方向Ｌに垂直な径方向に付勢力を及ぼすのではなく、光軸方向Ｌに付勢力を及ぼすように形成されているため、装置を小径化、小型化することができる。
さらに、板バネ５０は、径方向外側に自由端部及び突起５２ａが位置するように形成されているため、光軸から突起５２ａまでの距離が長くなり、その結果、２つの窪み２１ｅ，２１ｆの離隔距離を長くすることができ、それ故に、開き位置から閉じ位置へあるいは閉じ位置から開き位置へ至る際の感触（クリック感）をより明確に得ることができる。
【００２７】
上記構成をなす板バネ５０は、連動リング２０の背面に形成された２つの窪み２１ｅ，２１ｆと協働して、レンズバリヤ３０を開き位置と閉じ位置とに確実に位置決めして保持するクリック機構を構成するものである。そして、板バネ５０の突起５２ａと連動リング２０の窪み２１ｅ，２１ｆとの位置関係は、レンズバリヤ３０が開き位置及び閉じ位置にあるとき、各々の中心が距離Ｄ（所定量）だけ偏倚した状態となっている。
【００２８】
すなわち、レンズバリヤ３０が開き位置にあるとき、図１０（ａ）に示すように、板バネ５０の突起５２ａの中心は、連動リング２０の窪み２１ｅの中心よりも時計回りに距離Ｄだけ偏倚して位置しており、開き位置からさらに過移動させる向きにレンズバリヤ３０を押し付けるようになっている。また、レンズバリヤ３０が閉じ位置にあるとき、図１０（ｂ）に示すように、板バネ５０の突起５２ａの中心は、連動リング２０の窪み２１ｆの中心よりも反時計回りに距離Ｄだけ偏倚して位置しており、閉じ位置からさらに過移動させる向きにレンズバリヤ３０を押し付けるようになっている。
【００２９】
このように、レンズバリヤ３０が開き位置又は閉じ位置にあるとき、クリック機構を形成する板バネ５０の突起５２ａの中心が連動リング２０の窪み２１ｅ，２１ｆの中心からそれぞれ偏倚した位置にあるため、レンズバリヤ３０は、開き位置にあるときさらに開く向きに押し付けられ、又、閉じ位置にあるときさらに閉じる向きに押し付けられて、ガタツキを生じることなく、開き位置又は閉じ位置に、より確実に位置決めされて保持される。
【００３０】
検出センサ６０は、検出光を発する発光素子、検出光を受光する受光素子を含む、透過型の光センサであり、連動リング２０の検出片２１ｇが、発光素子から受光素子へ向かう検出光を遮断するか否かで、連動リング２０の角度位置、すなわち、レンズバリヤ３０が開き位置又は閉じ位置にあることを検出できるようになっている。尚、この検出センサ６０は、レンズバリヤ３０の開き動作又は閉じ動作を検出して、このレンズバリヤ装置が搭載されるレンズ鏡筒あるいはデジタルカメラ等の種々の制御を行なう場合に好適である。
【００３１】
次に、この装置の動作について、図８ないし図１０を参照しつつ説明する。
先ず、連動リング２０が時計回りの回転端に位置するとき、図８に示すように、レンズバリヤ３０（羽根３１，３２，３３）は開口部１１を全開した開き位置にある。
このとき、連動リング２０の貫通孔２１ｄの一側縁部がベース１０のボス部１６の一側部に当接して、連動リング２０の時計回りの過移動が規制されている。また、板バネ５０の突起５２ａは、図１０（ａ）に示すように、連動リング２０の窪み２１ｅに嵌合しつつもお互いの中心が所定量Ｄだけ偏倚して位置しているため、板バネ５０の付勢力が突起５２ａ及び窪み２１ｅを介して、レンズバリヤ３０を開き位置に確実に位置決めして保持した状態にある。
【００３２】
この開き位置から、操作者が円筒部２２を掴んで連動リング２０を反時計回りに回転させると、図９に示すように、連結ピン１５が長孔２１ｃに沿って支軸２１ｂに近づく向きに相対的に移動し、レンズバリヤ３０（３枚の羽根３１，３２，３３）は、径方向内側に向けて重なり合い開口部１１を閉じた閉じ位置に至る。
このとき、連動リング２０の貫通孔２１ｄの他側縁部がベース１０のボス部１６の他側部に当接して、連動リング２０の反時計回りの過移動が規制されると同時に、板バネ５０の突起５２ａは、窪み２１ｅから離脱して窪み２１ｆに入り込む。
それ故に、操作者は、レンズバリヤ３０を閉じ位置に位置付ける際の感触（クリック感）を明確に得ることができる。また、図１０（ｂ）に示すように、突起５２ａが窪み２１ｆに偏倚した状態で入り込むことにより、レンズバリヤ３０は、ガタツキ等を生じないように、閉じ位置に確実に位置決めして保持される。
【００３３】
この閉じ位置から、操作者が円筒部２２を掴んで連動リング２０を時計回りに回転させると、図８に示すように、連結ピン１５が長孔２１ｃに沿って支軸２１ｂから遠ざかる向きに相対的に移動し、レンズバリヤ３０（３枚の羽根３１，３２，３３）は、径方向外側に向けて展開し開口部１１を開いた開き位置に至る。
このとき、連動リング２０の貫通孔２１ｄの一側縁部がベース１０のボス部１６の一側部に当接して、連動リング２０の時計回りの過移動が規制されると同時に、板バネ５０の突起５２ａは、窪み２１ｆから離脱して窪み２１ｅに入り込む。
それ故に、操作者は、レンズバリヤ３０を開き位置に位置付ける際の感触（クリック感）を明確に得ることができる。また、図１０（ａ）に示すように突起５２ａが窪み２１ｅに偏倚した状態で入り込むことにより、レンズバリヤ３０は、ガタツキ等を生じないように、開き位置に確実に位置決めして保持される。
【００３４】
上記実施形態においては、レンズバリヤ３０として、複数（３枚）の羽根３１，３２，３３を採用した場合を示したが、この枚数に限定されるものではなく、２枚以下あるいは４枚以上の枚数の羽根を採用する構成において、本発明を適用してもよい。
上記実施形態においては、クリック機構を構成する凸部（板バネ５０の突起５２ａ）及び凹部（窪み２１ｅ，２１ｆ）を設けるにあたり、ベース１０に凸部（板バネ５０の突起５２ａ）を設け、連動リング２０に凹部（窪み２１ｅ，２１ｆ）を設ける場合を示したが、これに限定されるものではなく、ベース１０に凹部（窪み）を設け、連動リング２０に凸部（板バネ５０の突起５２ａ）を設ける構成を採用してもよい。
【産業上の利用可能性】
【００３５】
以上述べたように、本発明のレンズバリヤ装置は、薄型化、小径化、小型化が行なえるため、小型化が図られるデジタルカメラ、スチルカメラ、ビデオカメラ等に搭載されるのは勿論のこと、携帯電話機、ＰＤＡ等の携帯情報端末機に搭載されるモバイルカメラ等のレンズバリヤ装置としても使用することができる。
【図面の簡単な説明】
【００３６】
【図１】本発明に係るレンズバリヤ装置の一実施形態を示す外観斜視図である。
【図２】本発明に係るレンズバリヤ装置の一実施形態を示す正面図である。
【図３】本発明に係るレンズバリヤ装置の一実施形態を示す外観側面である。
【図４】本発明に係るレンズバリヤ装置の一実施形態を示す分解斜視面である。
【図５】本発明に係るレンズバリヤ装置の一実施形態を示す断面図である。
【図６】本発明に係るレンズバリヤ装置の一実施形態を示す一部断面図である。
【図７】クリック機構の一部をなす板バネを示すものであり、（ａ）はその平面図、（ｂ）はその側面図である。
【図８】レンズバリヤが開口部を開いた開き位置にある状態を示す正面図である。
【図９】レンズバリヤが開口部を閉じた閉じ位置にある状態を示す正面図である。
【図１０】クリック機構をなす板バネの突起と連動リングの窪みとの関係を示すものであり、（ａ）はレンズバリヤが開き位置にあるときの突起と窪みの位置関係を示す平面図、（ｂ）はレンズバリヤが閉じ位置にあるときの突起と窪みの位置関係を示す平面図である。
【符号の説明】
【００３７】
Ｌ  光軸方向
１０  ベース
１１  開口部
１２  環状支持部
１３  収容部
１４  センサ収容部
１５  連結ピン
１６  ボス部
２０  連動リング（駆動機構）
２１  円板部
２１ａ  開口部
２１ｂ  支軸
２１ｃ  長孔
２１ｄ  貫通孔
２１ｅ、２１ｆ  窪み（凹部、クリック機構）
２２  円筒部
３０  レンズバリヤ
３１，３２，３３  複数の羽根
３１ａ，３２ａ，３３ａ  円孔
３１ｂ，３２ｂ，３３ｂ  長孔
４０  カバー
４１  開口部
４２  環状部
５０  板バネ（付勢部材、クリック機構）
５１  基部
５２  バネ部
５２ａ  突起（凸部、クリック機構）
６０  検出センサ
【図１】
2005084279.tif 000003
【図２】
2005084279.tif 000004
【図３】
2005084279.tif 000005
【図４】
2005084279.tif 000006
【図５】
2005084279.tif 000007
【図６】
2005084279.tif 000008
【図７】
2005084279.tif 000009
【図８】
2005084279.tif 000010
【図９】
2005084279.tif 000011
【図１０】
2005084279.tif 000012